(57)【要約】  本発明のエレベータのパネルは、パネル本体（１、２０１、３０１、４０１）と、補強部材（２）とを備え、パネル本体（１、２０１、３０１、４０１）は、当該パネル本体（１、２０１、３０１、４０１）の表板（１１）の上部および下部を曲折して形成された上部折曲部（１ａ）および下部折曲部（１ｂ、２０１ｂ、３０１ｂ）を含んでおり、下部折曲部（１ｂ、２０１ｂ、３０１ｂ）には、上向きに開口する一対の切欠き部（１ｆ，１ｆ、３０１ｆｂ，３０１ｆｂ）が設けられており、補強部材（２）の端部は、一対の切欠き部（１ｆ，１ｆ、３０１ｆｂ，３０１ｆｂ）に挿入されることにより、補強部材（２）は、一対の切欠き部（１ｆ，１ｆ、３０１ｆｂ，３０１ｆｂ）内に載置されている。本発明は、これにより、部品点数の増加を抑制することが可能となる。
2016088248.tif 000002
【特許請求の範囲】
【請求項１】
パネル本体と、補強部材とを備えたエレベータのパネルであって、  前記パネル本体は、該パネル本体の表板の上部および下部を曲折して形成された上部折曲部および下部折曲部を含んでおり、  前記下部折曲部には、上向きに開口する一対の切欠き部が設けられており、  前記補強部材の端部は、前記一対の切欠き部に挿入されており、該補強部材は、前記一対の切欠き部内に載置されている、エレベータのパネル。
【請求項２】
前記下部折曲部は、表板下部位置決め部を含んでおり、  前記表板下部位置決め部は、前記下部折曲部の一部が打ち抜かれ折り曲げられて構成されており、  前記表板下部位置決め部は、前記一対の切欠き部を含んでおり、  前記補強部材は、板材の両端部が折り曲げられて構成された一対の挿入部を含んでおり、  前記挿入部は、対応する前記切欠き部に挿入されて前記表板下部位置決め部に載置されている、請求項１のエレベータのパネル。
【請求項３】
前記下部折曲部は、一対の切欠き部を含んでおり、  前記一対の切欠き部は、前記下部折曲部の上向き縁部に上向きに開口しており、  前記補強部材は、板材の両端部が折り曲げられて構成された一対の挿入部を含んでおり、  前記挿入部は、対応する前記切欠き部に挿入されて前記一対の切欠き部内に載置されている、請求項１のエレベータのパネル。
【発明の詳細な説明】
【技術分野】
【０００１】  本発明は、エレベータのパネルに関するものである。
【背景技術】
【０００２】  特許文献１には、従来のエレベータのドアパネルが開示されている。このドアパネルは、ドアパネル正面を構成する平板部と、その平板部の上下それぞれに設けられた上補強部および下補強部と、縦補強部材とを備えている。そして、縦補強部材の下部の突起が、下補強部に差し込まれ、縦補強部材の上部が、リベットによって、上補強部に固定される。【０００３】  しかしながら、このようなドアパネルでは、上下方向の突起により、縦補強部材を補強部に位置決めするため、平板部に、平板部とは別体の補強部を設ける必要があり、コストが増加する問題がある。【０００４】  また、従来のエレベータのパネルには、意匠面を覆う表板に強度を確保するため、縦補強部材が接着剤や両面テープにより貼られている態様もある。
【先行技術文献】
【特許文献】
【０００５】
【特許文献１】特開２０１４−２４６１１号公報
【発明の概要】
【発明が解決しようとする課題】
【０００６】  接着剤や両面テープにより縦補強部材を貼りつける態様では、接着作業時、平板部の表板に対する縦補強位置を決定するために、何らかの位置決め用金具が必要であった。そのような位置決め用治具は、万一、接着剤が全て剥がれてしまっても縦補強部材が脱落しないための脱落防止具としての機能も有していることが望まれる。しかし、この位置決め用金具を用いることによれば、部品コストと、位置決め用金具の固定作業コストとがかかってしまっていた。【０００７】  本発明は、上記に鑑みてなされたものであり、部品点数の増加を抑制することができるエレベータのパネルを提供することを目的とする。
【課題を解決するための手段】
【０００８】  上述した目的を達成するため、本発明のエレベータのパネルは、パネル本体と、補強部材とを備えたエレベータのパネルであって、前記パネル本体は、該パネル本体の表板の上部および下部を曲折して形成された上部折曲部および下部折曲部を含んでおり、前記下部折曲部には、上向きに開口する一対の切欠き部が設けられており、前記補強部材の端部は、前記一対の切欠き部に挿入されており、該補強部材は、前記一対の切欠き部内に載置されている。
【発明の効果】
【０００９】  本発明のエレベータのパネルによれば、部品点数の増加を抑制することができる。
【図面の簡単な説明】
【００１０】
【図１】本発明の実施の形態１のエレベータのパネルの正面図である。
【図２】図１のＩＩ−ＩＩ線による断面図である。
【図３】図１のＩＩＩ−ＩＩＩ線による断面図である。
【図４】図１のＩＶ部の拡大図である。
【図５】図１のＶ部の拡大図である。
【図６】図１の矢印ＶＩからみた側面図である。
【図７】補強部材のパネル本体への取り付け手順を示す図である。
【図８】補強部材のパネル本体への取り付け手順を示す図であり、図７に続く手順を示す図である。
【図９】本発明の実施の形態２のエレベータのパネルの正面図である。
【図１０】図９のＸ−Ｘ線による断面図である。
【図１１】図９のＸＩ−ＸＩ線による断面図である。
【図１２】図９のＸＩＩ部の拡大図である。
【図１３】図９のＸＩＩＩ部の拡大図である。
【図１４】図９の矢印ＸＩＶからみた側面図である。
【図１５】補強部材のパネル本体への取り付け手順を示す図である。
【図１６】補強部材のパネル本体への取り付け手順を示す図であり、図１５に続く手順を示す図である。
【図１７】本発明の実施の形態３のエレベータのパネルの正面図である。
【図１８】図１７のＸＶＩＩＩ−ＸＶＩＩＩ線による断面図である。
【図１９】図１７のＸＩＸ−ＸＩＸ線による断面図である。
【図２０】図１７の矢印ＸＸからみた側面図である。
【図２１】本発明の実施の形態４のエレベータのパネルの正面図である。
【図２２】図２１のＸＸＩＩ−ＸＸＩＩ線による断面図である。
【図２３】図２１の矢印ＸＸＩＩＩからみた側面図である。
【発明を実施するための形態】
【００１１】  以下、本発明の実施の形態について添付図面に基づいて説明する。なお、図中、同一符号は同一又は対応部分を示すものとする。
【００１２】  実施の形態１．  図１は、本発明の実施の形態１のエレベータのパネルの正面図である。図２は、図１のＩＩ−ＩＩ線による断面図である。図３は、図１のＩＩＩ−ＩＩＩ線による断面図である。図４は、図１のＩＶ部の拡大図である。図５は、図１のＶ部の拡大図である。図６は、図１の矢印ＶＩからみた側面図である。
【００１３】  エレベータのかご室を構成する壁パネルは、パネル本体１と、補強部材２とを備える。パネル本体１は、表板１１の上部、下部、左側部および右側部に、それぞれ、上部折曲部１ａ、下部折曲部１ｂ、左側部折曲部１ｃ、右側部折曲部１ｄを有している。上部折曲部１ａ、下部折曲部１ｂ、左側部折曲部１ｃ、右側部折曲部１ｄは、それぞれ、パネル本体１の主要の面の上部、下部、左側部、右側部を曲折して形成されている。なお、図中のＸ方向を、左右方向とし、Ｙ方向を、上下方向とし、Ｚ方向を、表裏方向とする。
【００１４】  下部折曲部１ｂには、上向きに開口する一対の切欠き部１ｆが設けられており、補強部材２の端部（下端部）は、一対の切欠き部１ｆに挿入されており、補強部材２は、一対の切欠き部１ｆ内に載置されている。以下、具体的な一例を説明する。
【００１５】  下部折曲部１ｂは、左右一対の表板下部位置決め部１ｅを含んでいる。表板下部位置決め部１ｅはそれぞれ、下部折曲部１ｂの一部が、打ち抜かれ、折り曲げられて構成されている。表板下部位置決め部１ｅは、下部折曲部１ｂの一部が、Ｚ方向に沿うようにＬ字状に折り曲げられ、さらに、その折り曲げられた先端側がＸ方向に沿うようにＬ字状に折り曲げられて形成されている。別の言い方をすると、表板下部位置決め部１ｅは、下部折曲部１ｂの一部が、パネル本体１の表板１１と直交する向きにＬ字状に折り曲げられ、さらに、その折り曲げられた先端側が、パネル本体１の表板１１に沿う向きに延びるように左右外側に直角に折り曲げられて形成されている。
【００１６】  表板下部位置決め部１ｅはそれぞれ、一対の切欠き部１ｆを含んでいる。一対の切欠き部１ｆはそれぞれ、Ｕ字状に形成されており、上向きに開口する。
【００１７】  補強部材２は、板材の両端部が折り曲げられて構成された一対の挿入部２ａを含んでいる。補強部材２は、パネル本体１の表板１１の裏面に設置されたとき、上下方向に延びている。より詳細には、補強部材２は、逆ハット形状に形成されており、主面２１と、左右一対の挿入部２ａと、左右一対の折り返し縁部２ｂとを含む。左右一対の挿入部２ａは、主面２１の左右の両端部から主面２１と直角に延びる。左右一対の折り返し縁部２ｂは、逆ハット形状における「ハット」の鍔に相当する部分であり、左右一対の挿入部２ａにおける主面２１と逆側の端部から、左右それぞれ外側に向けて挿入部２ａと直角に延びる部分である。
【００１８】  表板下部位置決め部１ｅは、補強部材２の下方向の位置決めと左右方向の位置決めとを行っている。まず、補強部材２は、表板下部位置決め部１ｅに載置され、それにより補強部材２の下方向の位置決めがされている。さらに、補強部材２の挿入部２ａのそれぞれが、対応する切欠き部１ｆに挿入され、それにより、補強部材２の左右方向の位置決めがされている。すなわち、挿入部２ａが切欠き部１ｆに挿入されて切欠き部１ｆの底部に載置されることで、補強部材２の下方向の位置決めと左右方向の位置決めとが同時に遂行されている。また、補強部材２は、このように下方向の位置決めと左右方向の位置決めとが行われた状態で、パネル本体１の表板１１の裏面に接着部材を介して固定されている。
【００１９】  上部折曲部１ａは、左右一対の表板上部位置決め部１ｇを含んでいる。表板上部位置決め部１ｇはそれぞれ、上部折曲部１ａの一部が、打ち抜かれ、折り曲げられて構成されている。表板上部位置決め部１ｇは、上部折曲部１ａの一部が、Ｚ方向に沿うようにＬ字状に折り曲げられて形成された曲げ部１ｈを含んでいる。別の言い方をすると、表板上部位置決め部１ｇは、上部折曲部１ａの一部が、パネル本体１の表板１１と直交する向きにＬ字状に折り曲げられて形成された曲げ部１ｈを含んでいる。
【００２０】  次に、補強部材２の固定手順について、図７および図８を用いて説明する。図７および図８は、補強部材のパネル本体への取り付け手順を示す図である。図７に示されるように、補強部材２の上部を、上部折曲部１ａのＵ字状の折り曲げ部の内側に挿入するようにして、補強部材２を、パネル本体１の裏面に沿わせるように配置する。補強部材２の上部を、上部折曲部１ａの内側に挿入しながら、補強部材２を配置できるので、補強部材２の下部が、下部折曲部１ｂに干渉することを避けながら作業することが容易となる。
【００２１】  また、このとき、左右一対の曲げ部１ｈの外側に、補強部材２の左右一対の挿入部２ａが位置することから、上部折曲部１ａの左右一対の曲げ部１ｈにより、補強部材２の上部の左右方向の位置決めが行われる。言い換えると、左右一対の曲げ部１ｈの間隔と、補強部材２の左右一対の挿入部２ａの間隔とは、そのような左右方向の位置決めが行える程度に設定することが好適である。例えば、左右一対の曲げ部１ｈの一方の外側の面と、補強部材２の左右一対の挿入部２ａの一方の内側の面とが、当接した状態で、左右一対の曲げ部１ｈの他方の外側の面と、補強部材２の左右一対の挿入部２ａの他方の内側の面とが、ギリギリで当接しないか、あるいは、補強部材２のスライドが可能な程度に、軽く当接する程度に設定することができる。
【００２２】  次に、図８に示されるように、補強部材２を下方にスライドさせて、補強部材２の下部を、下部折曲部１ｂのＵ字状の折り曲げ部の内側に挿入する。また、このスライド動作によって、補強部材２の左右一対の挿入部２ａの下端を、下部折曲部１ｂの表板下部位置決め部１ｅの左右一対の切欠き部１ｆ内に挿入する。このとき、補強部材２の上部が上部折曲部１ａの曲げ部１ｈによって左右方向に関して位置決めされているので、補強部材２の下方へのスライドに伴い、より確実かつ容易に、補強部材２の切欠き部１ｆへの挿入が完了する。これにより、補強部材２に対して、下方向の位置決めおよび左右方向への位置決めが行われる。
【００２３】  また、補強部材２の切欠き部１ｆへの挿入が完了した状態でも、表裏方向（Ｚ方向）からみて、補強部材２の上端は、上部折曲部１ａのＵ字状の折り曲げ部の内側に残っている部分がある。すなわち、補強部材２の上端および下端ともに、上部折曲部１ａおよび下部折曲部１ｂに挿入されているため、万が一にも、補強部材２がパネル本体１からＺ方向に完全に脱落することもない。
【００２４】  本実施の形態１によれば、次のような優れた利点が得られている。まず、本実施の形態１のエレベータのパネルでは、パネル本体の補強部材２の下方向の位置決めと左右方向の位置決めとを行う表板下部位置決め部を備えたので、補強部材を簡単に位置決め固定でき、且つ、パネル本体とは別体としての、複数の位置決め用部材を必要としないため、部品点数の増加を抑制することができる。
【００２５】  加えて、表板下部位置決め部は、補強部材を載置するという態様で補強部材の下方向の位置決めを行うので、簡単な構造で補強部材の下方向の位置決めを行うことができる。さらに加えて、表板下部位置決め部は、補強部材の挿入部が切欠き部に挿入されるという態様で補強部材の下方向の位置決めと左右方向の位置決めとを行うので、簡単な構造で補強部材の下方向の位置決めと左右方向の位置決めとを行うことができ、しかも、それらの複数方向への位置決めが行い易いという利点がある。
【００２６】  実施の形態２．  次に、図９から図１６を用いて、本発明の実施の形態２のエレベータのパネルについて説明する。図９〜図１６は、本実施の形態２に関する図１〜図８と同態様の図である。詳細には、図９は、本発明の実施の形態２のエレベータのパネルの正面図である。図１０および図１１は、図９のＸ−Ｘ線およびＸＩ−ＸＩ線による断面図である。図１２は、図９のＸＩＩ部の拡大図である。図１３は、図９のＸＩＩＩ部の拡大図である。図１４は、図９の矢印ＸＩＶからみた側面図である。図１５は、補強部材のパネル本体への取り付け手順を示す図である。図１６は、補強部材のパネル本体への取り付け手順を示す図であり、図１５に続く手順を示す図である。なお、本実施の形態２は、以下に説明する場合を除いては、上述した実施の形態１と同様であるものとする。
【００２７】  上記実施の形態１で説明したように、補強部材２は、逆ハット形状に形成されている。しかしながら、本発明においては、パネル本体１に対して補強部材２を設ける向きは、上記実施の形態１で示した態様に限定されるものではない。本実施の形態２は、補強部材を設ける向きの態様に関する他の一例である。上記実施の形態１では、補強部材２は、主面２１がパネル本体１の表板１１に当接するように、または、主面２１が折り返し縁部２ｂよりもパネル本体１の表板１１に近くなるように、配置されていた。一方、本実施の形態２では、補強部材２は、折り返し縁部２ｂがパネル本体１の表板１１に当接するように、または、折り返し縁部２ｂが主面２１よりもパネル本体１の表板１１に近くなるように、配置されている。
【００２８】  パネル本体２０１の表板下部位置決め部２０１ｅはそれぞれ、下部折曲部２０１ｂの一部が、打ち抜かれ、折り曲げられて構成されている。表板下部位置決め部２０１ｅは、下部折曲部２０１ｂの一部が、パネル本体１の表板１１と直交する向きにＬ字状に折り曲げられ、さらに、その折り曲げられた先端側が、パネル本体１の表板１１に沿う向きに延びるように左右内側に直角に折り曲げられて形成されている。
【００２９】  表板下部位置決め部２０１ｅはそれぞれ、一対の切欠き部１ｆを含んでいる。一対の切欠き部１ｆはそれぞれ、Ｕ字状に形成されており、上向きに開口する。
【００３０】  次に、補強部材２の固定手順について、図１５および図１６を用いて説明する。図１５に示されるように、補強部材２の上部を、上部折曲部１ａのＵ字状の折り曲げ部の内側に挿入するようにして、補強部材２を、パネル本体１の裏面に沿わせるように配置する。補強部材２の上部を、上部折曲部１ａの内側に挿入しながら、補強部材２を配置できるので、補強部材２の下部が、下部折曲部１ｂに干渉することを避けながら作業することが容易となる。
【００３１】  また、このとき、左右一対の曲げ部１ｈの内側に、補強部材２の左右一対の挿入部２ａが位置することから、上部折曲部１ａの左右一対の曲げ部１ｈにより、補強部材２の上部の左右方向の位置決めが行われる。言い換えると、左右一対の曲げ部１ｈの間隔と、補強部材２の左右一対の挿入部２ａの間隔とは、そのような左右方向の位置決めが行える程度に設定することが好適である。例えば、左右一対の曲げ部１ｈの一方の内側の面と、補強部材２の左右一対の挿入部２ａの一方の外側の面とが、当接した状態で、左右一対の曲げ部１ｈの他方の内側の面と、補強部材２の左右一対の挿入部２ａの他方の外側の面とが、ギリギリで当接しないか、あるいは、補強部材２のスライドが可能な程度に、軽く当接する程度に設定することができる。
【００３２】  次に、図１６に示されるように、補強部材２を下方にスライドさせて、補強部材２の下部を、下部折曲部２０１ｂのＵ字状の折り曲げ部の内側に挿入する。また、このスライド動作によって、補強部材２の左右一対の挿入部２ａの下端を、下部折曲部２０１ｂの表板下部位置決め部２０１ｅの左右一対の切欠き部１ｆ内に挿入する。このとき、補強部材２の上部が上部折曲部１ａの曲げ部１ｈによって左右方向に関して位置決めされているので、補強部材２の下方へのスライドに伴い、より確実かつ容易に、補強部材２の切欠き部１ｆへの挿入が完了する。これにより、補強部材２に対して、下方向の位置決めおよび左右方向への位置決めが行われる。
【００３３】  また、補強部材２の切欠き部１ｆへの挿入が完了した状態でも、表裏方向（Ｚ方向）からみて、補強部材２の上端は、上部折曲部１ａのＵ字状の折り曲げ部の内側に残っている部分がある。すなわち、補強部材２の上端および下端ともに、上部折曲部１ａおよび下部折曲部１ｂに挿入されているため、万が一にも、補強部材２がパネル本体１からＺ方向に完全に脱落することもない。
【００３４】  本実施の形態２においても、下部折曲部２０１ｂには、上向きに開口する一対の切欠き部１ｆが設けられており、補強部材２の端部（下端部）は、一対の切欠き部１ｆに挿入されており、補強部材２は、一対の切欠き部１ｆ内に載置されている。よって、本実施の形態２によっても、上述した実施の形態１と同様な優れた利点が得られている。
【００３５】  実施の形態３．  次に、図１７から図２０を用いて、本発明の実施の形態３のエレベータのパネルについて説明する。図１７〜図２０は、本実施の形態３に関する図１〜図３および図６と同態様の図である。詳細には、図１７は、本発明の実施の形態３のエレベータのパネルの正面図である。図１８および図１９は、図１７のＸＶＩＩＩ−ＸＶＩＩＩ線およびＸＩＸ−ＸＩＸ線による断面図である。図２０は、図１７の矢印ＸＸからみた側面図である。なお、本実施の形態３は、以下に説明する場合を除いては、上述した実施の形態１と同様であるものとする。
【００３６】  本実施の形態３では、パネル本体３０１の上部折曲部３０１ａおよび下部折曲部３０１ｂに、一対の切欠き部３０１ｆａおよび一対の切欠き部３０１ｆｂが設けられている。一対の切欠き部３０１ｆａは、上部折曲部３０１ａの下向き縁部３０３ａに開口しており、下向きに開口するＵ字状の切欠きである。一対の切欠き部３０１ｆｂは、下部折曲部３０１ｂの上向き縁部３０３ｂに開口しており、上向きに開口するＵ字状の切欠きである。
【００３７】  次に、補強部材２の固定手順について説明する。補強部材２の挿入部２ａの上部を、上部折曲部３０１ａの一対の切欠き部３０１ｆａに挿入するようにして、補強部材２を、パネル本体１の裏面に沿わせるように配置する。補強部材２の上部を、切欠き部３０１ｆａに挿入しながら、補強部材２を配置できるので、補強部材２の下部が、下部折曲部３０１ｂに干渉することを避けながら作業することが容易となる。
【００３８】  また、このとき、補強部材２の挿入部２ａの上部を、上部折曲部３０１ａの一対の切欠き部３０１ｆａに挿入することとなるので、補強部材２の上部の左右方向の位置決めが行われる。
【００３９】  次に、補強部材２を下方にスライドさせて、補強部材２の挿入部２ａの下部を、下部折曲部３０１ｂの一対の切欠き部３０１ｆｂに挿入する。このとき、補強部材２の上部が一対の切欠き部３０１ｆａによって左右方向に関して位置決めされているので、補強部材２の下方へのスライドに伴い、より確実かつ容易に、補強部材２の一対の切欠き部３０１ｆｂへの挿入が完了する。これにより、補強部材２に対して、下方向の位置決めおよび左右方向への位置決めが行われる。
【００４０】  また、補強部材２の一対の切欠き部３０１ｆｂへの挿入が完了した状態でも、表裏方向（Ｚ方向）からみて、補強部材２の上端は、一対の切欠き部３０１ｆａの内側に残っている部分がある。すなわち、補強部材２の上端および下端ともに、一対の切欠き部３０１ｆａおよび一対の切欠き部３０１ｆｂに挿入されているため、万が一にも、補強部材２がパネル本体１からＺ方向に完全に脱落することもない。
【００４１】  本実施の形態３においても、下部折曲部３０１ｂには、上向きに開口する一対の切欠き部３０１ｆｂが設けられており、補強部材２の端部（下端部）は、一対の切欠き部３０１ｆｂに挿入されており、補強部材２は、一対の切欠き部３０１ｆｂ内に載置されている。よって、本実施の形態３によっても、上述した実施の形態１と同様な優れた利点が得られている。
【００４２】  実施の形態４．  次に、図２１から図２３を用いて、本発明の実施の形態４のエレベータのパネルについて説明する。図２１〜図２３は、本実施の形態４に関する図１、図３および図６と同態様の図である。詳細には、図２１は、本発明の実施の形態４のエレベータのパネルの正面図である。図２２は、図２１のＸＸＩＩ−ＸＸＩＩ線による断面図である。図２３は、図２１の矢印ＸＸＩＩＩからみた側面図である。なお、本実施の形態４は、以下に説明する場合を除いては、上述した実施の形態１と同様であるものとする。
【００４３】  本実施の形態４では、パネル本体４０１の下部折曲部３０１ｂに、一対の切欠き部３０１ｆｂが設けられている。一対の切欠き部３０１ｆｂは、下部折曲部３０１ｂの上向き縁部３０３ｂに開口しており、上向きに開口するＵ字状の切欠きである。
【００４４】  また、上部折曲部４０１ａには、Ｚ字型の位置決め金具４０９が着脱可能に取り付けられている。位置決め金具４０９が上部折曲部４０１ａに取り付けられたとき、補強部材２の主面２１は、上部折曲部４０１ａに下方において、位置決め金具４０９の下部と、パネル本体４０１の表板１１との間に挟まれる。また、位置決め金具４０９の下部は、補強部材２の左右一対の挿入部２ａの内側に位置することから、位置決め金具４０９により、補強部材２の上部の左右方向の位置決めが行われる。言い換えると、位置決め金具４０９の少なくとも下部の幅と、補強部材２の左右一対の挿入部２ａの間隔とは、そのような左右方向の位置決めが行える程度に設定することが好適である。例えば、位置決め金具４０９の下部の左右の一方の端面と、補強部材２の左右一対の挿入部２ａの一方の内側の面とが、当接した状態で、位置決め金具４０９の下部の左右の他方の端面と、補強部材２の左右一対の挿入部２ａの他方の内側の面とが、ギリギリで当接しないか、あるいは、軽く当接する程度に設定することができる。
【００４５】  本実施の形態４においては、次のようにして、補強部材２が取り付けられる。補強部材２の挿入部２ａの下部を、下部折曲部３０１ｂの一対の切欠き部３０１ｆｂに挿入する。これにより、補強部材２に対して、下方向の位置決めおよび左右方向への位置決めが行われる。
【００４６】  また、補強部材２の一対の切欠き部３０１ｆｂへの挿入が完了した状態において、補強部材２の主面２１は、上部折曲部４０１ａに下方において、位置決め金具４０９の下部と、パネル本体４０１の表板１１との間に挟まれる。このため、万が一にも、補強部材２がパネル本体１からＺ方向に完全に脱落することもない。
【００４７】  本実施の形態４においても、下部折曲部３０１ｂには、上向きに開口する一対の切欠き部３０１ｆｂが設けられており、補強部材２の端部（下端部）は、一対の切欠き部３０１ｆｂに挿入されており、補強部材２は、一対の切欠き部３０１ｆｂ内に載置されている。よって、本実施の形態４によっても、上述した実施の形態１と同様な優れた利点が得られている。
【００４８】  実施の形態５．  本発明の実施の形態５としては、上述した実施の形態１〜４の組み合わせについて述べる。実施の形態３では、上部折曲部に、一対の切欠き部３０１ｆａを設け、実施の形態４では、上部折曲部に、位置決め金具４０９を設けた態様であったが、この態様に代えて、これら実施の形態３および４において、それぞれ、上部折曲部に、実施の形態１の曲げ部１ｈを設けて実施することも可能である。
【００４９】  また、実施の形態１および２では、上部折曲部に、曲げ部１ｈを設ける態様であったが、この態様に代えて、これら実施の形態１および２において、それぞれ、実施の形態３の一対の切欠き部３０１ｆａまたは実施の形態４の位置決め金具４０９を設けて実施することも可能である。
【００５０】  以上、好ましい実施の形態を参照して本発明の内容を具体的に説明したが、本発明の基本的技術思想及び教示に基づいて、当業者であれば、種々の改変態様を採り得ることは自明である。
【符号の説明】
【００５１】  １、２０１、３０１、４０１  パネル本体、１ａ  上部折曲部、１ｂ、２０１ｂ、３０１ｂ  下部折曲部、１ｃ  左側部折曲部、１ｄ  右側部折曲部、１ｅ、２０１ｅ  表板下部位置決め部、１ｆ、３０１ｆｂ  切欠き部、１ｇ  表板上部位置決め部、１ｈ  曲げ部、２  補強部材、２ａ  挿入部、２ｂ  折り返し縁部、１１  表板、２１  主面、３０３ａ  下向き縁部、３０３ｂ  上向き縁部、４０９  位置決め金具。
【図１】
2016088248.tif 000003
【図２】
2016088248.tif 000004
【図３】
2016088248.tif 000005
【図４】
2016088248.tif 000006
【図５】
2016088248.tif 000007
【図６】
2016088248.tif 000008
【図７】
2016088248.tif 000009
【図８】
2016088248.tif 000010
【図９】
2016088248.tif 000011
【図１０】
2016088248.tif 000012
【図１１】
2016088248.tif 000013
【図１２】
2016088248.tif 000014
【図１３】
2016088248.tif 000015
【図１４】
2016088248.tif 000016
【図１５】
2016088248.tif 000017
【図１６】
2016088248.tif 000018
【図１７】
2016088248.tif 000019
【図１８】
2016088248.tif 000020
【図１９】
2016088248.tif 000021
【図２０】
2016088248.tif 000022
【図２１】
2016088248.tif 000023
【図２２】
2016088248.tif 000024
【図２３】
2016088248.tif 000025
【国際調査報告】
2016088248.tif 000026
2016088248.tif 000027
2016088248.tif 000028
2016088248.tif 000029